(57)【要約】作業性が良好であり、しかも信頼性の高いフロートへのソーラパネルの取付構造を提案すること。【解決手段】表皮材付き発泡粒子成形体からなるフロート１はソーラパネル５０を傾斜した状態で取り付ける高位置取付部１Ａと低位置取付部１Ｂとを有し、上記高位置取付部には略水平方向に向けて凹溝３が形成され、該凹溝にソーラパネルの一方の端部が掛け止めされており、上記凹溝の下方に形成された貫通穴４に挿通固定されたストッパー金具３０によって、上記凹溝に掛け止めされたソーラパネルの端部の該凹溝からの脱離が阻止されている取付構造とした。【選択図】図２
0003221905.tif 000002
【実用新案登録請求の範囲】
【請求項１】
表皮材付き発泡粒子成形体からなるフロートへのソーラパネルの取付構造であって、
上記フロートはソーラパネルを傾斜させた状態で載置する高位置取付部と低位置取付部とを有し、
上記高位置取付部及び低位置取付部の少なくとも一方の取付部の外方側側面に略水平方向に向けて凹溝が形成され、
上記凹溝にソーラパネルの少なくとも一方の端部が掛け止めされており、
上記凹溝の下方に取付部を貫通して該凹溝の深さ方向に貫通穴が形成され、
上記貫通穴に挿通固定されたストッパー金具によって、上記凹溝に掛け止めされたソーラパネルの端部の該凹溝からの脱離が阻止されていることを特徴とする、
フロートへのソーラパネルの取付構造。
【請求項２】
上記高位置取付部及び低位置取付部の一方の取付部の外方側側面に略水平方向に向けて上記凹溝が形成され、該凹溝にソーラパネルの一方の端部が掛け止めされており、上記ソーラパネルの他方の端部が他方の取付部に固定金具により取り付けられていることを特徴とする、請求項１に記載のフロートへのソーラパネルの取付構造。
【請求項３】
上記ストッパー金具は、上記取付部に形成された貫通穴に挿入される軸部と、上記ソーラパネルの端部に係合するコ字状部とを有し、上記軸部を上記貫通穴に挿入してその露出端を止め具により固定することにより、上記取付部に挿通固定されていることを特徴とする、請求項１又は２に記載のフロートへのソーラパネルの取付構造。
【請求項４】
上記フロートは、フロート本体部と、該フロート本体部から立設して形成された高位置取付部を備えることを特徴とする、請求項１〜３のいずれかに記載のフロートへのソーラパネルの取付構造。
【請求項５】
上記凹溝は、深さ２０〜７０ｍｍで形成されていることを特徴とする、請求項１〜４のいずれかに記載のフロートへのソーラパネルの取付構造。
【請求項６】
上記凹溝は、上記フロートの高位置取付部に形成されていることを特徴とする、請求項１〜５のいずれかに記載のフロートへのソーラパネルの取付構造。
【請求項７】
上記ソーラパネルは、周縁に断面コ字状又は断面Ｌ字状のフレーム部材が取り付けられており、該フレーム部材の下側端部が上記取付部に形成された凹溝に掛け止めされていることを特徴とする、請求項１〜６のいずれかに記載のフロートへのソーラパネルの取付構造。
【請求項８】
上記表皮材付き発泡粒子成形体は、表皮材の厚さが０．５〜４ｍｍであることを特徴とする、請求項１〜７のいずれかに記載のフロートへのソーラパネルの取付構造。
【請求項９】
上記表皮材付き発泡粒子成形体は、ＪＩＳ  Ｋ  ７２２０（１９９９）に基づく５％変形時の圧縮応力が３００ｋＰａ以上であることを特徴とする、請求項１〜８のいずれかに記載のフロートへのソーラパネルの取付構造。
【考案の詳細な説明】
【技術分野】
【０００１】
本考案は、池や湖などの水上に設置されるフロートへのソーラパネルの取付構造に関するものである。
【背景技術】
【０００２】
太陽光を電力に変換する太陽光発電では、ソーラパネル（太陽電池パネル、太陽電池モジュールとも言う）が用いられる。これまでソーラパネルは、主に建築物の屋根や壁面、地面などに設置されてきたが、近年は、遊休化している池や湖などの水上への設置も試みられている。
【０００３】
水上においてソーラパネルを設置する場合、ソーラパネルを水上に浮かせるフロートが必要である。このソーラパネル用フロートには、軽量性及び耐久性に優れる表皮材付き発泡粒子成形体（例えば、特許文献１）が用いられている。そして、かかる表皮材付き発泡粒子成形体からなるフロートにソーラパネルを傾斜した状態で取り付け、池や湖などの水上に設置することが行われている。
【０００４】
フロートへのソーラパネルの取付構造としては、ソーラパネルの少なくとも四隅を固定金具によってフロートに強固に固定するもの（例えば、特許文献１）、また、ソーラパネルの一方端部をフロートに形成された凹溝に引っ掛け、対向する他方端部を固定金具によってフロートに固定する構造のもの（例えば、特許文献２）などがある。
【先行技術文献】
【特許文献】
【０００５】
【特許文献１】特開２０１７−１６５１１１号公報
【特許文献２】特開２０１８−１０３９００号公報
【考案の概要】
【考案が解決しようとする課題】
【０００６】
しかしながら、上記した特許文献１に開示された取付構造にあっては、ソーラパネルをフロートに強固に取り付けることができるものではあるが、固定金具の点数が多くなり、費用かかかると共に取付作業性も悪いものであった。
一方、特許文献２に開示された取付構造にあっては、ソーラパネルの一方端部はフロートに形成された凹溝に引っ掛かることにより取り付けられるので、取り付け作業性は良好なものとはなるが、フロートが波浪などの影響で湾曲した場合等には、凹溝へのソーラパネルの引っ掛かりが外れるおそれがあり、取り付けの信頼性において改善の余地があるものであった。
【０００７】
本考案は、上述した背景技術が有する課題に鑑みなされたものであって、その目的は、作業性が良好であり、しかも信頼性の高いソーラパネルのフロートへの取付構造を提案することにある。
【課題を解決するための手段】
【０００８】
上記した目的を達成するため、本考案は、次の〔１〕〜〔９〕に記載したフロートへのソーラパネルの取付構造とした。
〔１〕表皮材付き発泡粒子成形体からなるフロートへのソーラパネルの取付構造であって、
上記フロートはソーラパネルを傾斜させた状態で載置する高位置取付部と低位置取付部とを有し、
上記高位置取付部及び低位置取付部の少なくとも一方の取付部の外方側側面に略水平方向に向けて凹溝が形成され、
上記凹溝にソーラパネルの少なくとも一方の端部が掛け止めされており、
上記凹溝の下方に取付部を貫通して該凹溝の深さ方向に貫通穴が形成され、
上記貫通穴に挿通固定されたストッパー金具によって、上記凹溝に掛け止めされたソーラパネルの端部の該凹溝からの脱離が阻止されていることを特徴とする、
フロートへのソーラパネルの取付構造。
〔２〕上記高位置取付部及び低位置取付部の一方の取付部の外方側側面に略水平方向に向けて上記凹溝が形成され、該凹溝にソーラパネルの一方の端部が掛け止めされており、上記ソーラパネルの他方の端部が他方の取付部に固定金具により取り付けられていることを特徴とする、上記〔１〕に記載のフロートへのソーラパネルの取付構造。
〔３〕上記ストッパー金具は、上記取付部に形成された貫通穴に挿入される軸部と、上記ソーラパネルの端部に係合するコ字状部とを有し、上記軸部を上記貫通穴に挿入してその露出端を止め具により固定することにより、上記取付部に挿通固定されていることを特徴とする、上記〔１〕又は〔２〕に記載のフロートへのソーラパネルの取付構造。  
〔４〕上記フロートは、フロート本体部と、該フロート本体部から立設して形成された高位置取付部を備えることを特徴とする、上記〔１〕〜〔３〕のいずれかに記載のフロートへのソーラパネルの取付構造
〔５〕上記凹溝は、深さ２０〜７０ｍｍで形成されていることを特徴とする、上記〔１〕〜〔４〕のいずれかに記載のフロートへのソーラパネルの取付構造。
〔６〕上記凹溝は、上記フロートの高位置取付部に形成されていることを特徴とする、上記〔１〕〜〔５〕のいずれかに記載のフロートへのソーラパネル取付構造。
〔７〕上記ソーラパネルは、周縁に断面コ字状又は断面Ｌ字状のフレーム部材が取り付けられており、該フレーム部材の下側端部が取付部に形成された上記凹溝に掛け止めされていることを特徴とする、上記〔１〕〜〔６〕のいずれかに記載のフロートへのソーラパネルの取付構造。
〔８〕上記表皮材付き発泡粒子成形体は、表皮材の厚さが０．５〜４ｍｍであることを特徴とする、上記〔１〕〜〔７〕のいずれかに記載のソーラパネルのフロートへの取付構造。
〔９〕上記表皮材付き発泡粒子成形体は、ＪＩＳ  Ｋ  ７２２０（１９９９）に基づく５％変形時の圧縮応力が３００ｋＰａ以上であることを特徴とする、上記〔１〕〜〔８〕のいずれかに記載のフロートへのソーラパネルの取付構造。
【考案の効果】
【０００９】
上記した本考案に係るフロートへのソーラパネルの取付構造によれば、作業性が良好であると共に、信頼性の高いフロートへのソーラパネルの取り付けを実現することができる。
【図面の簡単な説明】
【００１０】
【図１】本考案に係るフロートへのソーラパネルの取付構造の一実施形態を示した斜視図である。
【図２】本考案に係るフロートへのソーラパネルの取付構造の一実施形態を示した分解斜視図である。
【図３】本考案に係るフロートへのソーラパネルの取付構造の一実施形態の要部を示した縦断面図である。
【図４】本考案に係るフロートへのソーラパネルの取付構造の一実施形態の要部であるフロートへのソーラパネルの掛け止め構造を示した縦断面図である。
【図５】本考案に係るフロートへのソーラパネルの取付構造の一実施形態の要部であるストッパー金具の取付構造を示した縦断面図である。
【考案を実施するための形態】
【００１１】
以下、本考案に係るフロートへのソーラパネルの取付構造の実施形態を、図面に基づいて詳細に説明する。
【００１２】
本考案に係るフロート１は、 図１に示すように、ソーラパネル５０を傾斜した状態で取り付け、池や湖などの水上に設置するためのものであり、表皮材付き発泡粒子成形体からなる。なお、ソーラパネル５０の設置角度は、地域などに応じて発電に最適な角度に設定される。
【００１３】
フロート１は、表皮材部分の内部に発泡粒子成形体が充填された表皮材付き発泡粒子成形体からなり、例えば、溶融状態の熱可塑性樹脂からなる筒状のパリソンを分割金型で挟んで膨らますブロー成形によってその表皮材部分が製造され、その中空部に発泡粒子成形体が充填された表皮材付き発泡粒子成形体からなる。中空部に充填される発泡粒子成形体の容量は、表皮材部分に亀裂などが形成され中空部内に水が入り込んだ場合でも該フロートが沈むことが無く浮いていられる最低限の容積以上であることが好ましく、製造コストなどの制限が無ければ中空部の全てに発泡粒子成形体が充填されたものであることが好ましい。なお、本考案に係るフロート１の製造は、上記したブロー成形方法に限定されるものではない。例えば、筒状のパリソンの代わりに２枚の溶融状態の熱可塑性樹脂シートを一対の分割金型の間に配置し、シートと分割金型との間の密閉空間を吸引などすることで２枚のシートの間に中空部を有する表皮材部分を製造してもよい。
【００１４】
上記表皮材部分を形成する材料としては、ポリスチレン系樹脂、ポリオレフィン系樹脂、ポリエステル系樹脂、アクリル系樹脂、ポリカーボネート系樹脂、熱可塑性エラストマーなどを用いることができる。これらの材料の中でも、機械的強度に優れると共に、柔軟性、靱性に優れることから、ポリエチレン系樹脂、ポリプロピレン系樹脂などのポリオレフィン系樹脂が好ましい。その中でも、耐熱性に優れ、より機械的強度、靱性に優れることから、ポリプロピレン系樹脂が好ましい。また、耐衝撃性、耐候性に優れるという観点からは、高密度ポリエチレンを用いることが好ましい。
【００１５】
上記熱可塑性樹脂により形成された表皮材部分は、その厚みが０．５〜４ｍｍの範囲内であることが成形性、強度及び経済性などの観点から好ましく、１〜３．５ｍｍ、更に２〜３ｍｍであることが上記観点から更に好ましい。
【００１６】
上記中空部に充填される発泡粒子成形体の材料としては、ポリスチレン、耐衝撃性ポリスチレンなどのポリスチレン系樹脂、ポリプロピレン、ポリエチレンなどのポリオレフィン系樹脂、ポリエチレンサクシネート、ポリエチレンテレフタレート、ポリ乳酸などのポリエステル系樹脂などを挙げることができる。これらの中でも、圧縮などの機械的物性、軽量性、更には経済性に優れるポリスチレン系樹脂が好ましい。
【００１７】
上記熱可塑性樹脂により形成された発泡粒子成形体は、その密度が０．０１〜０．０３ｇ／ｃｍ3であることが軽量性とフロートの強度向上とのバランスの観点から好ましく、０．０１５〜０．０２５ｇ／ｃｍ3であることが上記観点から更に好ましい。また、その融着率が５０％以上であることがフロートの圧縮強度、曲げ剛性などの機械的物性向上の観点から好ましく、かかる観点から６０％以上であることが更に好ましい。なお、発泡粒子成形体の融着率は、発泡粒子成形体を破断した際の破断面に露出した発泡粒子のうち、材料破壊した発泡粒子の数の割合（融着率）に基づいて求められる。
【００１８】
上記表皮材付き発泡粒子成形体からなるフロートは、圧縮強度、曲げ剛性などの機械的強度の観点から、ＪＩＳ  Ｋ  ７２２０（１９９９）に基づく５％変形時の圧縮応力が３００ｋＰａ以上であることが好ましく、４００ｋＰａ以上であることがより好ましく、５００ｋＰａ以上であることが更に好ましい。
なお、上記圧縮応力は、ＪＩＳ  Ｋ  ７２２０（１９９９）に準拠し、試験速度は１０ｍｍ／分とし、変形５％まで変形させて荷重−変形曲線を得ることにより求めたものである。
【００１９】
また、上記表皮材付き発泡粒子成形体からなるフロートは、表皮材部分と発泡粒子成形体とが接着して形成されていることが好ましい。上記特性を有する表皮材付き発泡粒子成形体であれば、後述するストッパー金具による固定が、より強固なものとなる。
【００２０】
上記表皮材付き発泡粒子成形体からなるフロート１は、 ソーラパネル５０を傾斜した状態で取り付ける高位置取付部１Ａと低位置取付部１Ｂとを少なくとも有している。この高位置取付部１Ａと低位置取付部１Ｂとの高低差を適宜設定することにより、地域などに応じて発電に最適なソーラパネル５０の傾斜角度に設定される。これらの取付部１Ａ，１Ｂは、フロート１として一体的に形成されていてもよく、別体として形成されていてもよい。図示した実施形態においては、高位置取付部１Ａは別体のものとして形成され、環状に形成されたフロート本体部１Ｃの内周面に立設した状態で取り付けられている。また、環状に形成されたフロート本体部１Ｃの前方部及び後方部は歩行通路部１Ｄ，１Ｅとされ、その表面は滑り防止のために線条２の入った凹凸面に形成されている。
【００２１】
高位置取付部１Ａと低位置取付部１Ｂの少なくとも一方の取付部の外方側側面には、略水平方向に凹溝３が形成されている。図示した実施形態においては、高位置取付部１Ａの外方側側面の幅方向全幅に亘って略水平方向に連続した凹溝３が形成されている。凹溝３の深さは、成形性とソーラパネル５０の端部との係合性との兼ね合いから、２０〜７０ｍｍであることが好ましく、３０〜５０ｍｍであることがより好ましい。また、ソーラパネルの掛け止めが脱離し難くなる観点から凹溝３の上方側側壁と溝底面とは略直角に形成されていることが好ましく、後述する貫通穴の形成をより容易にする観点から凹溝３の下方側側壁は溝底面に対して９０度以上の角度で形成されていることが好ましい。
【００２２】
上記凹溝３の下方には、取付部を貫通して穴４が形成されている。この貫通穴４は、凹溝３の深さ方向に並行する方向に２〜４カ所取付部を貫通して形成されていることが好ましい。また、図示した実施形態においては、凹溝３の深さ方向に並行であり、載置されるソーラパネルとも略平行となる貫通穴４が、高位置取付部１Ａの幅方向両端部付近の２カ所に形成されている。貫通穴４の断面形状は、挿入する後述のストッパー金具３０の断面形状により適宜設計され、円形状でも、長方形状であってもよく、図示した実施形態においては、円形状の貫通穴４が形成されている。
【００２３】
他方の取付部は、本考案の取付構造や、その他、凹溝３が形成されていない固定金具による取付構造とすることができる。図示した実施形態においては、固定金具を用いた取付構造を採用することとし、ソーラパネル５０の他方端部を固定するための固定金具２０を取り付ける孔５が形成されている。この取付孔５は、フロート１の後方両側部にそれぞれ一体的に形成された低位置取付部１Ｂを構成する凸部の傾斜面にそれぞれ形成されている。
【００２４】
フロート１は、水上において前後方向及び左右方向に複数配置されることにより複数のソーラパネル５０を敷き詰めて設置する。そのため、図示した実施形態においては、フロート１の四隅に連結金具を取り付ける凹部６が形成され、その凹部６のそれぞれに連結金具の取付孔７が形成されている。また、フロート１は、アンカー（図示省略）により水上の一定の場所に停留させることが可能に構成されている。
【００２５】
ソーラパネル５０は、受光面側に配置される透光性パネルと、裏面側に配置される耐候性の保護部材との間に太陽電池素子を封入したソーラパネル本体５１を、断面コ字状又は断面Ｌ字状の掛け止め片を備えるフレーム部材５２により囲ったものであることが好ましい。透光性パネルは、ガラス板や合成樹脂板などの光透過性を有するものが用いられ、裏面保護部材としてはフッ素樹脂フィルムやＰＶＦ（ポリフッ化ビニル）、ＰＥＴ（ポリエチレンテレフタレート）などの耐候性フィルムが用いられる。フレーム部材５２は、ソーラパネル本体５１の強度や耐候性などを考慮して、アルミニウム金属やステンレススティール（ＳＵＳ）などの金属や樹脂等で構成される。図示した実施形態においては、フレーム部材５２は、ソーラパネル本体５１の周縁部を受け入れるための溝部５２ａを備え、この溝部５２ａを利用してソーラパネル本体５１の各辺に接着剤等を介して固定されている。
【００２６】
本考案に係るフロートへのソーラパネルの取付構造においては、フロート１の一方の取付部に形成された凹溝３にソーラパネル５０の一方端部が掛け止めされ、他方の端部が他方の取付部に固定金具２０により取り付けられることが好ましい。図示した実施形態においては、ソーラパネル５０の長辺上方側のフレーム部材５２の下側端部にはコ字部分が掛け止め片５２ｂとして形成されている。そして、フロート１の高位置取付部１Ａの外方側側面の幅方向全幅に亘って形成された凹溝３に、ソーラパネルに取り付けられたフレーム部材の掛け止め片５２ｂが掛け止めされている（図２〜４参照）。また、ソーラパネル５０の長辺下方側のフレーム部材５２が低位置取付部１Ｂに固定金具２０により取り付けられている（図１，２参照）。
【００２７】
固定金具２０は、支持プレート２１と、スラードプレート２２と、締結具２３とからなる。支持プレート２１は、その板面に穴２１ａが形成されている。スライドプレート２２は、その板面に前後方向に延びる長穴２２ａが形成され、一側に上方に延びる掛け止め爪２２ｂが形成されている。締結具２３は、アンカーボルト２３ａと、ナット２３ｂからなる。支持プレート２１は、その板面に形成された穴２１ａを介してフロート１の低位置取付部１Ｂに形成された取付孔５に挿入されたアンカーボルト２３ａによりフロート１に固定される。スライドプレート２２は、その板面に形成された長穴２２ａに上記アンカーボルト２３ａの上端を挿通し、支持プレート２１に対してスライド可能に組み付けられる。
【００２８】
ソーラパネル５０の長辺上方側のフレーム部材５２の下側端部（掛け止め片５２ｂ）をフロート１の高位置取付部１Ａに形成された凹溝３に掛け止めさせ、ソーラパネル５０の長辺下方側のフレーム部材５２をフロート１の低位置取付部１Ｂ上に載置した後、組み付けた上記スライドプレート２２の掛け止め爪２２ｂがソーラパネル５０の長辺下方側のフレーム部材５２を係止する位置までスラードプレート２２を長穴２２ａを利用して移動させ、掛け止め爪２２ｂがソーラパネルのフレーム部材５２を係止した状態においてナット２３ｂを締め付け、ソーラパネル５０の長辺下方側のフレーム部材５２をフロート１に取り付ける。この固定金具２０を用いたソーラパネル５０のフロート１への取り付けは、図示した実施形態にあっては、フロート１の後方両側部に形成された低位置取付部１Ｂの二カ所において行われる。
【００２９】
本考案に係るフロートへのソーラパネルの取付構造においては、上記した取付部に形成された凹溝３に掛け止めすることにより取り付けられたソーラパネルの一方端部は凹溝３の下方に形成された貫通穴４に挿通固定されたストッパー金具３０によって固定され、該凹溝３からのソラーパネルの脱離が阻止される。図示した実施形態においては、ストッパー金具３０は、フロート１の高位置取付部１Ａに形成された貫通穴４に挿入される軸部３０ａと、ソーラパネル５０の長辺上方側のフレーム部材５２に係合するコ字状部３０ｂとを有し、上記軸部３０ａを上記貫通穴４に挿入してその露出端を止め具であるナット３１等により固定することにより、上記ソーラパネル５０の長辺上方側のフレーム部材５２の下側端部（掛け止め片５２ｂ）を高位置取付部１Ａの凹溝３に押圧する状態で取り付けられている（図３，５参照）。
特に、凹溝３に掛け止めされたソーラパネル５０に対して、ストッパー金具３０の固定箇所が、表皮材付き発泡粒子成形体からなる取付部を介して対向する側（内方側側面）に形成されていることにより、ソーラパネルの脱離が効果的に阻止される。
【００３０】
また、フロート１は、表皮材付き発泡粒子成形体からなるものであるので、フロートの取付部にストッパー金具３０を取り付けるための貫通穴４を形成しても、上記のように浮力が維持されるものとなる。したがって、本考案においては、取付部が圧縮応力に優れる表皮材付き発泡粒子成形体で形成されることによって、フロートとしての機能を有しつつ、ストッパー金具３０の固定がより強固なものとなり、上記の貫通穴４を形成する固定方法が初めて可能となる。
また、万一表皮材部分に穴或いは亀裂が形成されて中空内部に水が浸入するようなことがあっても、充填された発泡粒子成形体が浮力を維持するため、信頼性の高い浮体となる。
【００３１】
ソーラパネル５０を取り付けたフロート１は、該フロート１の４隅に形成された凹部６に図示しない連結部材を取付孔７を利用して取り付け、前後方向及び左右方向に複数個のフロートが連結され、その連結体は、適所をアンカーにより固定されて水上の一定の場所に停留される。
【００３２】
以上、説明した本考案に係るフロートへのソーラパネルの取付構造によれば、ソーラパネル５０の少なくとも一方端部はフロートの取付部に形成された凹溝３に掛け止めされることによりフロート１に取り付けられるものであるので、その取り付け作業性は良好なものとなる。また凹溝３に掛け止めすることにより取り付けられたソーラパネル５０の端部は、凹溝３の下方に形成された貫通穴４に挿通固定されたストッパー金具３０によって該凹溝３からの脱離が阻止させているので、波浪などによってフロート１が湾曲変形してもソーラパネルの掛け止めによる取る付けが外れ難く、信頼性の高い取り付けを実現できる。また、ストッパー金具３０の取り付けは、ソーラパネルを設置した後であっても、後加工で容易に取り付けが可能であるので、追加的なソーラパネル固定の補強もより容易となる。
【００３３】
以上、実施形態を用いて本考案を説明したが、本考案の技術的範囲は上記実施形態に記載の範囲には限定されないことは言うまでもない。上記実施形態に、多様な変更または改良を加えることが可能であることが当業者に明らかである。また、その様な変更または改良を加えた形態も本考案の技術的範囲に含まれ得ることが、実用新案登録請求の範囲の記載から明らかである。
【産業上の利用可能性】
【００３４】
本考案に係るフロートへのソーラパネルの取付構造は、ソーラパネルを効率的に水上に設置でき、また浮体として信頼性の高いものとなるので、遊休化している池や湖などの水上にソーラパネルを設置するのに広く用いることができる。
【符号の説明】
【００３５】
１    フロート
１Ａ    高位置取付部
１Ｂ    低位置取付部
１Ｃ    フロート本体部
１Ｄ    歩行通路部
１Ｅ    歩行通路部
２    線条
３    凹溝
４    貫通穴
５    取付孔
６    凹部
７    取付孔
２０    固定金具
２１    支持プレート
２１ａ    穴
２２    スラードプレート
２２ａ    長穴
２２ｂ    係止爪
２３    締結具
２３ａ    アンカーボルト
２３ｂ    ナット
３０    ストッパー金具
３０ａ    軸部
３０ｂ    コ字状部
３１    ナット
５０    ソーラパネル
５１    ソーラパネル本体
５２    フレーム部材
５２ａ    溝部
５２ｂ    掛け止め片
【図１】
0003221905.tif 000003
【図２】
0003221905.tif 000004
【図３】
0003221905.tif 000005
【図４】
0003221905.tif 000006
【図５】
0003221905.tif 000007